(57)【特許請求の範囲】
【請求項１】
脊髄誘発電位に基づいて術中診断のサポートをする術中誘発電位診断サポートシステムであって、
手術中に遮断する大動脈の上位に位置する上位肋間神経に電気的に接続される第１の電極と、
手術中に遮断する大動脈の下位に位置する下位肋間神経に電気的に接続される第２の電極と、
該対応する肋間神経に接続された該両電極の一方に、該肋間神経が刺激されるように刺激信号を印加する刺激印加部と、
該肋間神経刺激により発生した脊髄誘発電位を、該対応する肋間神経に接続された両電極の他方を介して検出する電位検出部と、
該脊髄誘発電位に基づいて脊髄虚血を検出する脊髄虚血検出部と、
該脊髄虚血検出部の検出出力を受け、該脊髄虚血が発生したとき、警報を発生する警報発生部とを備えた術中誘発電位診断サポートシステム。
【請求項２】
前記第１および第２の電極はそれぞれ、電極保持部材により、前記対応する肋間神経を該電極に取り付け可能な取付け位置と、該対応する肋間神経を該電極により固定する固定位置との間で移動可能に保持されており、
前記電位検出部は、該電極で取り込まれた前記電気信号を増幅する信号増幅器を有し、
前記脊髄虚血検出部は、
該信号増幅器で増幅された信号を演算処理し、脊髄誘発電位の信号波形データを得る演算処理器と、
術前の脊髄誘発電位の信号波形データを標準データとして記憶保存する記憶部と、
該記憶部に保存されている標準データと測定時において前記演算処理器での演算処理により得られる脊髄誘発電位の信号波形データとを比較する比較器と、
該比較器により比較した結果、両データの差が許容範囲を超えているか否かにより異常の有無を判定する判定器とを有し、
前記警報発生部は、
該判定器により異常ありと判定された時、警報を発するアラーム報知器を有する、
請求項１に記載の術中誘発電位診断サポートシステム。
【請求項３】
前記記憶部に保存されている標準データは、測定準備操作として、前記演算処理器部で演算処理された前記術前における平均的な脊髄誘発電位の信号波形データを、前記記憶部に予め記憶させたものである請求項２に記載の術中誘発電位診断サポートシステム。
【請求項４】
前記アラーム報知器は、音を用いた音響的アラーム報知手段、光を用いた光学的アラーム報知手段、文字情報ないし画像情報を用いた情報伝達式アラーム報知手段の少なくとも一つである請求項２に記載の術中誘発電位診断サポートシステム。
【請求項５】
手術中に遮断する大動脈の上位と下位の露出された肋間神経それぞれに装着される電極を備えた誘発電位電極装置と、
該電極から脊髄誘発電位を検出する誘発電位検出装置と、
術前の前記脊髄誘発電位を検出して記憶すると共に術中の前記脊髄誘発電位を検出して記憶し、記憶した術前の前記脊髄誘発電位から術中の前記脊髄誘発電位に至る変化分から任意のレベルに閾値を設定し、経時的に変動する前記脊髄誘発電位と前記閾値との比較を行って脊髄虚血状態を判定する判定器と、
該判定器の指示に基づいて警報を発生するアラーム警報器と、
を具える術中誘発電位診断サポートシステム。
【請求項６】
前記誘発電位電極装置が、一対の電極と、該一対の電極を保持する保持部と、を有し、該電極の先端部が該保持部の端部から外側へ突出し、
該電極と該保持部とが相対的に移動可能であり、
該電極の先端部に肋間神経に係合可能なフック部が設けられ、該フック部に肋間神経を係合した状態で該電極又は保持部を移動して、該フック部と保持部との間で肋間神経を挟持可能である請求項５に記載の術中誘発電位診断サポートシステム。
【請求項７】
前記保持部がケースであり、該ケース内に前記一対の電極が突出没入可能に配置され、該一対の電極をケース内へ没入するように電極とケースとの間に弾性体が設けられ、該電極のフック部と該ケースの先端部との間で肋間神経を挟持可能である請求項６に記載の術中誘発電位診断サポートシステム。
【請求項８】
前記ケース内に前記電極への電気接続手段が設けられている請求項７に記載の術中誘発電位診断サポートシステム。
【請求項９】
前記電気接続手段が、ステレオジャックと、該ステレオジャックと該電極とを接続する電極ケーブルと、を有する請求項８に記載の術中誘発電位診断サポートシステム。
【請求項１０】
前記保持部に組織へ刺通可能な固定爪が設けられている請求項６に記載の術中誘発電位診断サポートシステム。
【請求項１１】
前記保持部が前記電極を収容する筒体であり、該筒体内に一対の電極が筒体の軸方向へ移動可能に配置され、
該電極を支持する支持部が該筒体に嵌合され、該筒体と該支持部との間に電極を筒体内へ没入するように付勢する弾性体が配設されている請求項６に記載の術中誘発電位診断サポートシステム。
【請求項１２】
前記保持部が前記電極を包むチューブであり、チューブが電極の軸方向へ移動可能に構成され、該電極を支持する支持部が該チューブに移動可能に嵌合され、該支持部と該チューブとの間にチューブを電極のフック部の方向へ付勢するスプリングが配設されている請求項６に記載の術中誘発電位診断サポートシステム。
【請求項１３】
前記各電極がそれぞれ前記チューブに包囲され、該一対のチューブは連結部材にて連結されている請求項６に記載の術中誘発電位診断サポートシステム。
【請求項１４】
前記一対の電極間の間隔が、２〜３ｍｍである請求項６に記載の術中誘発電位診断サポートシステム。
【請求項１５】
一対の電極と、該一対の電極を保持する保持部と、を有し、
該電極の先端部が該保持部の端部から外側へ突出し、
該電極と該保持部とが相対的に移動可能である、脊髄誘発電位測定装置であって、
該電極の先端部に肋間神経に係合可能なフック部が設けられ、該フック部に肋間神経を係合した状態で該電極又は保持部を移動して、該フック部と保持部との間で肋間神経を挟持可能である脊髄誘発電位測定装置。
【請求項１６】
前記保持部がケースであり、該ケース内に前記一対の電極が突出没入可能に配置され、該一対の電極をケース内へ没入するように電極とケースとの間に弾性体が設けられ、該電極のフック部と該ケースの先端部との間で肋間神経を挟持可能である請求項１５に記載の脊髄誘発電位測定装置。
【請求項１７】
前記ケース内に前記電極への電気接続手段が設けられている請求項１６に記載の脊髄誘発電位測定装置。
【請求項１８】
前記電気接続手段が、ステレオジャックと、該ステレオジャックと該電極とを接続する電極ケーブルと、を有する請求項１７に記載の脊髄誘発電位測定装置。
【請求項１９】
前記保持部に組織へ刺通可能な固定爪が設けられている請求項１５に記載の脊髄誘発電位測定装置。
【請求項２０】
前記保持部が前記電極を収容する筒体であり、該筒体内に一対の電極が筒体の軸方向へ移動可能に配置され、
該電極を支持する支持部が該筒体に嵌合され、該筒体と該支持部との間に電極を筒体内へ没入するように付勢する弾性体が配設されている請求項１５に記載の脊髄誘発電位測定装置。
【請求項２１】
前記保持部が前記電極を包むチューブであり、チューブが電極の軸方向へ移動可能に構成され、該電極を支持する支持部が該チューブに移動可能に嵌合され、該支持部と該チューブとの間にチューブを電極のフック部の方向へ付勢するスプリングが配設されている請求項１５に記載の脊髄誘発電位測定装置。
【請求項２２】
前記各電極がそれぞれ前記チューブに包囲され、該一対のチューブは連結部材にて連結されている請求項１５に記載の脊髄誘発電位測定装置。
【請求項２３】
前記一対の電極間の間隔が、２〜３ｍｍである請求項１５に記載の脊髄誘発電位測定装置。
【発明の詳細な説明】
【技術分野】
【０００１】
本発明は、肋間神経刺激−記録による術中誘発電位診断サポートシステムに関し、詳しくは、術中における脊髄の領域付近で脊髄虚血が生じているか否かを判定して警報を発生する術中誘発電位診断サポートシステムに関する。
【背景技術】
【０００２】
胸腹部大動脈手術、胸部下行大動脈瘤手術および脊髄損傷手術において、手術中の脊髄虚血による対麻痺（下半身麻痺）は患者の生活の質（ＱＯＬ）を著しく損なう合併症である。
【０００３】
現在までさまざまな脊髄保護法が開発されてきたが、対麻痺を完全に防止するには至っていない。
【０００４】
術中の脊髄虚血をモニタリングする方法の一つとして、脊髄誘発電位がある。これは電気刺激によって脊髄に発生する電流を信号波形としてモニタするもので、脊髄が虚血にさらされると、電気伝導が悪くなることから、該信号波形の振幅低下などの変化を観察して、術中の脊髄虚血をモニタリングする方法である。
【０００５】
従来、刺激電極を頭皮や頚部脊髄硬膜外や抹消神経部に取り付け、胸腰部硬膜外や足の筋肉や脊髄内に取り付けた記録電極から、脊髄虚血をモニタするための信号波形を得ていた。
【０００６】
しかし、従来の脊髄誘発電位測定法では次に示す様々な問題点があった。
（１）硬膜外に電極を入れる場合、手術当日は術中にヘパリンを使用するため、出血の合併症を避けるために術前日に電極を硬膜外へ挿入留置しておく必要がある。
（２）緊急手術の際に使用することができない。
（３）足の筋肉から電位を記録する場合、術中に筋弛緩剤を使用すると、電位が記録できない。
（４）脊髄の手術における麻痺等の障害をなくすために、脊髄誘発電位測定法を用いてきたが、人的不足のために機械にたよる必要性が大きくなってきた。
【０００７】
以上の欠点のために麻酔法や電位測定方法に非常に難渋している。
【０００８】
そこで本発明者は、従来の脊髄誘発電位測定法を含めた、特定構造の電極を使用した手術中の脊髄虚血をモニタリングする術中誘発電位診断サポートシステムを提案している。
【０００９】
このシステムは、誘発電位電極装置と、脊髄に印加する電気刺激としての刺激パルスを生成するパルスジェネレーターと、刺激パルスの印加により脊髄で発生した脊髄誘発電位の信号波形を検出するデジタルオシロスコープとを備える測定部と、該測定部で得られた脊髄誘発電位の測定結果を処理する処理部と、を主たる構成要素として備え、手術中に遮断する大動脈の上位に位置する露出された上位肋間神経に第１の誘発電位電極装置を装着し、手術中に遮断する大動脈の下位に位置する、露出された下位肋間神経、第２の誘発電位電極装置を装着して、手術中の脊髄虚血をモニタリングするものである。
【００１０】
すなわち、パルスジェネレーターで刺激パルスを生成し、この刺激パルスを第１の誘発電位電極装置を介して上位肋間神経に印加する。印加された刺激パルスによって肋間神経の神経細胞が刺激され、それにより脊髄では脊髄誘発電位（誘発電位パルス）が生じる。この誘発電位パルスは、脊髄を構成する神経組織内に形成された神経伝達経路を通じて伝播され、そして、この誘発電位パルスの伝播に応じて、下位肋間神経に装着された第２の誘発電位電極装置を介して測定装置において電気信号が検出される。
【００１１】
検出された電気信号は配線を介してデジタルオシロスコープに出力される。デジタルオシロスコープではその電気信号から誘発電位パルスの波形を取得する。
【００１２】
このようにして、手術中に遮断する大動脈の上位と下位の、露出された肋間神経それぞれに、対応する誘発電位電極装置を装着して、手術中の脊髄虚血をモニタリングするものである。
【００１３】
ところが、この術中誘発電位診断サポートシステムでは、オシロスコープにより表示される誘発電位のパルスの波形から脊髄虚血を生じているかどうかを判断するためには高度の専門知識と経験を必要とする。
【００１４】
そのため、操作が簡単で、高度の専門知識や経験がなくても脊髄虚血を的確にチェックすることのできる術中誘発電位診断サポートシステムが求められている。
【発明の開示】
【発明が解決しようとする課題】
【００１５】
本発明は、上記の欠点を解決するためになされたものであって、本発明の目的は、術前準備が不要で急患にも対応でき、かつ麻酔の影響も受けにくい、術中誘発電位診断サポートシステムを提供することにある。
【００１６】
本発明の他の目的は、オシロスコープにより表示される誘発電位のパルスの波形を正確に解析して、脊髄虚血を生じている場合には、警報を発生する術中誘発電位診断サポートシステムを提供することにある。
【００１７】
本発明のさらに他の目的は、操作が簡単で、高度の専門知識や経験がなくても脊髄虚血を的確にチェックすることのできる術中誘発電位診断サポートシステムを提供することにある。
【００１８】
本発明のさらに他の目的は、脊髄誘発電位を測定して閾値を設定することにより術中の脊髄虚血をモニタリングし、脊髄虚血状態が生じた場合に警報を発生する術中誘発電位診断サポートシステムを提供することにある。
【課題を解決するための手段】
【００１９】
本発明の術中誘発電位診断サポートシステムは、脊髄誘発電位に基づいて術中診断のサポートをする術中誘発電位診断サポートシステムであって、手術中に遮断する大動脈の上位に位置する上位肋間神経に電気的に接続される第１の電極と、手術中に遮断する大動脈の下位に位置する下位肋間神経に電気的に接続される第２の電極と、該対応する肋間神経に接続された該両電極の一方に、該肋間神経が刺激されるように刺激信号を印加する刺激印加部と、該肋間神経刺激により発生した脊髄誘発電位を、該対応する肋間神経に接続された両電極の他方を介して検出する電位検出部と、該脊髄誘発電位に基づいて脊髄虚血を検出する脊髄虚血検出部と、該脊髄虚血検出部の検出出力を受け、該脊髄虚血が発生したとき、警報を発生する警報発生部とを備え、そのことにより上記目的が達成される。
【００２０】
一実施形態では、前記第１および第２の電極はそれぞれ、電極保持部材により、前記対応する肋間神経を該電極に取り付け可能な取付け位置と、該対応する肋間神経を該電極により固定する固定位置との間で移動可能に保持されており、前記電位検出部は、該電極で取り込まれた前記電気信号を増幅する信号増幅器を有し、前記脊髄虚血検出部は、該信号増幅器で増幅された信号を演算処理し、脊髄誘発電位の信号波形データを得る演算処理器と、術前の脊髄誘発電位の信号波形データを標準データとして記憶保存する記憶部と、該記憶部に保存されている標準データと測定時において前記演算処理器での演算処理により得られる脊髄誘発電位の信号波形データとを比較する比較器と、該比較器により比較した結果、両データの差が許容範囲を超えているか否かにより異常の有無を判定する判定器とを有し、前記警報発生部は、該判定器により異常ありと判定された時、警報を発するアラーム報知器を有する。
【００２１】
一実施形態では、前記記憶部に保存されている標準データは、測定準備操作として、前記演算処理器部で演算処理された前記術前における平均的な脊髄誘発電位の信号波形データを、前記記憶部に予め記憶させたものである。
【００２２】
一実施形態では、前記アラーム報知器は、音を用いた音響的アラーム報知手段、光を用いた光学的アラーム報知手段、文字情報ないし画像情報を用いた情報伝達式アラーム報知手段の少なくとも一つである。
【００２３】
本発明の他の術中誘発電位診断サポートシステムは、手術中に遮断する大動脈の上位と下位の露出された肋間神経それぞれに装着される電極を備えた誘発電位電極装置と、該電極から脊髄誘発電位を検出する誘発電位検出装置と、術前の前記脊髄誘発電位を検出して記憶すると共に術中の前記脊髄誘発電位を検出して記憶し、記憶した術前の前記脊髄誘発電位から術中の前記脊髄誘発電位に至る変化分から任意のレベルに閾値を設定し、経時的に変動する前記脊髄誘発電位と前記閾値との比較を行って脊髄虚血状態を判定する判定器と、該判定器の指示に基づいて警報を発生するアラーム警報器と、を具える。
【００２４】
一実施形態では、前記誘発電位電極装置が、一対の電極と、該一対の電極を保持する保持部と、を有し、該電極の先端部が該保持部の端部から外側へ突出し、該電極と該保持部とが相対的に移動可能であり、該電極の先端部に肋間神経に係合可能なフック部が設けられ、該フック部に肋間神経を係合した状態で該電極又は保持部を移動して、該フック部と保持部との間で肋間神経を挟持可能である。
【００２５】
一実施形態では、前記保持部がケースであり、該ケース内に前記一対の電極が突出没入可能に配置され、該一対の電極をケース内へ没入するように電極とケースとの間に弾性体が設けられ、該電極のフック部と該ケースの先端部との間で肋間神経を挟持可能である。
【００２６】
一実施形態では、前記ケース内に前記電極への電気接続手段が設けられている。
【００２７】
一実施形態では、前記電気接続手段が、ステレオジャックと、該ステレオジャックと該電極とを接続する電極ケーブルと、を有する。
【００２８】
一実施形態では、前記保持部に組織へ刺通可能な固定爪が設けられている。
【００２９】
一実施形態では、前記保持部が前記電極を収容する筒体であり、該筒体内に一対の電極が筒体の軸方向へ移動可能に配置され、該電極を支持する支持部が該筒体に嵌合され、該筒体と該支持部との間に電極を筒体内へ没入するように付勢する弾性体が配設されている。
【００３０】
一実施形態では、前記保持部が前記電極を包むチューブであり、チューブが電極の軸方向へ移動可能に構成され、該電極を支持する支持部が該チューブに移動可能に嵌合され、該支持部と該チューブとの間にチューブを電極のフック部の方向へ付勢するスプリングが配設されている。
【００３１】
一実施形態では、前記各電極がそれぞれ前記チューブに包囲され、該一対のチューブは連結部材にて連結されている。
【００３２】
一実施形態では、前記一対の電極間の間隔が、２〜３ｍｍである。
【発明の効果】
【００３４】
本発明の手術中の脊髄虚血をモニタリングする術中誘発電位診断サポートシステムによれば、上位と下位の露出された肋間神経それぞれに装着される誘発電位電極装置を有することにより、上位の肋間神経に装着される誘発電位電極装置から上位の肋間神経を電気刺激し、下位の肋間神経に装着される誘発電位電極装置が、脊髄を伝導して下位の肋間神経に伝わる電気信号を波形として記録する。ここで、誘発電位電極装置は、上記した構成であることにより、確実かつ安定して電極を肋間神経に接触させることができる。また、神経伝達経路としての脊髄の機能を詳細に評価することが可能となり、また虚血、損傷などが発生している脊髄の位置を正確に把握することができる。
【００３５】
特許出願人は、この方法をすでに動物実験にて使用し、その有効性を実証した。
【００３６】
本発明の誘発電位電極装置は、手術分野で使用できるため、緊急手術症例にも応用可能である。また、筋弛緩剤などの麻酔による影響が少なく、手術する大動脈の位置に対応した脊髄のモニタリングを行え、より脊髄虚血の限局診断が可能である。
【００３７】
また、誘発電位電極装置による脊髄誘発電位測定によれば、検出結果を連続的に解析することにより、神経伝達経路としての脊髄の機能を詳細に評価することが可能となり、また虚血、損傷などが発生している脊髄の位置を把握することができる。
【００３８】
また、本方法を施行するのに必要な肋間神経の刺激、記録電極は、肋間神経を障害せずに、効率よく、刺激、記録できる。これは電気刺激によって脊髄を流れる電流を電磁波形として記録するもので、脊髄が虚血にさらされると、電気の伝導が悪くなり、波形の振幅低下などの変化を観察する方法であるからである。また、脊髄誘発電位測定用電極として、微小かつ軽量でフレキシブル性を有すると、神経に直接接触させても神経を損傷させることなく適度な圧力で表面に適切に配置することが可能となる。
【００３９】
なお、胸腹部大動脈手術、胸部下行大動脈瘤手術および脊髄損傷手術における脊髄虚血のモニタリング以外に、交通事故、高所転落、転倒、打撲、下敷等による脊髄の損傷、変成、腫瘍等による脊髄損傷の診断にも本発明を適用することができる。
【００４０】
また、肋間神経刺激による脊髄誘発電位（Ｔｉｃ−ＥＳＣＰ）をモニタリングするので、第１にＴｉｃ−ＥＳＣＰの波形は単純でありかつ脊髄の短い分節にわたる活性化を反映するため、外部ノイズに影響されにくい。第２に電極の硬膜外への配置のような術前の準備を必要とせず、緊急の場合に利用可能なだけでなく、抗凝血治療または抗血小板治療を行っている患者においても利用可能である。第３に、筋弛緩薬を用いることができ、神経電位を筋肉の妨害なしに評価することができる。電極は小さいが、波形は単純で明瞭であり、したがって波形の解析が容易である。第４に神経への直接刺激のため、必要とされるのはより小さな刺激である。
【００４１】
特に、保持部に組織へ刺通可能な固定爪が設けられていることにより、固定爪を組織内へ刺し通して保持部を組織の任意の位置に固定できる。
【００４２】
保持部としてケースで構成することもできる。その場合には、ケース内に配置された一対の電極は、ケースから突出没入自在（前後方向へ移動可能）であるので、電極をケースからスライドして突出し、電極の先端部に設けられたフック部を肋間神経に係合し、その状態で電極をケース内へ移動させることで、確実にかつ安定して電極を肋間神経に接触させることができる。
【００４３】
本発明の術中誘発電位診断サポートシステムによれば、肋間神経から脊髄誘発電位を検出し、術前及び術中の脊髄誘発電位を夫々検出して記憶する。記憶した術前の脊髄誘発電位から術中の脊髄誘発電位に至る変化分の任意のレベルに閾値を設定し、時間と共に変動する脊髄誘発電位と設定した閾値との比較を行って脊髄虚血状態を判定する。そして、この判定結果に基づき、警報を発生する。従って、手術時或いは検査時に、患者の脊髄虚血状態の情報を容易にしかも確実に得ることができる。
【００４４】
さらに、上記誘発電位電極装置によれば、電極の先端部に肋間神経に係合可能なフック部が設けられ、該フック部に肋間神経を係合した状態で電極又は保持部を移動して、フック部と保持部の端部との間で肋間神経を挟持可能である。
【００４５】
従って、電極を保持部から移動してその電極の先端部に形成したフック部を保持部から外側へ突出し、フック部を肋間神経に係合し、その状態で電極を保持部側へ移動させる（又はフック部を肋間神経に係合させた状態で保持部を移動させる）ことで、フック部と保持部の先端との間に肋間神経を挟持する。そのことにより、確実にかつ安定して電極を肋間神経に接触させることができる。
【００４６】
このようにして、手術中に遮断する大動脈の上位と下位の露出された肋間神経それぞれに誘発電位電極装置の電極を装着し、上位の肋間神経に装着される誘発電位電極装置によって上位の肋間神経を電気刺激し、下位の肋間神経に装着される誘発電位電極装置から脊髄を伝導して下位の肋間神経に伝わる電気信号を波形として記録する。
【００４７】
このようにして肋間神経刺激−肋間神経記録による術中誘発電位診断サポートシステムが得られるので、術前準備が不要で急患にも対応でき、かつ麻酔の影響も受けにくい。
【００４８】
ケースに電極への電気接続手段が設けられ（例えば、ステレオジャックと電極ケーブルなど）ていることにより、ケースに対して電極を容易に前方へ押し出し或いはケース内に収めることができ、また測定装置の製作も容易である。
【発明を実施するための最良の形態】
【００４９】
本発明の実施形態を以下に説明する。
（誘発電位電極装置）
図１〜図５に示すように、本発明の誘発電位電極装置２は、保持部としてのケース１２と、該ケース１２内に突出没入可能に配置された一対の電極１４と、両電極１４をケース１２の開口部１８から突出した状態で該ケース１２に固定可能な固定手段２６と、を有する。
【００５０】
ケース１２は、電気絶縁製樹脂などにて偏平な箱状に形成され、ケース１２内の両側に電極１４がそれぞれ配置されている。
【００５１】
ケース１２の前端には開口部１８が設けられ、ケース１２の収容部内に配置された各電極１４の先端部が開口部１８から前方へ突出可能である。両電極１４は収容部から開口部１８を通して前方へ突出し、あるいはケース１２内へ没入して収容されるようにスライド可能に構成されている。
【００５２】
電極１４の形状は肋間神経を損傷しない形状であれば何ら限定するものではないが、この実施形態では図１に示すように電極１４は帯状の導電性金属片にて形成されている。
【００５３】
電極の材質としては、従来より公知のものを使用することができる。例えば、白金、銀、銅、ステンレス、金、導体に金メッキしたものなどを使用することができる。特に、金および金メッキしたものが好ましい。電極の太さは、０．８〜１．２ｍｍが好ましい。
【００５４】
また、電極の材質として導電性ポリマーを使用することもできる。そのような導電性ポリマーとしては、例えば、ポリアセチレン、ポリピロール、ポリチオフェン、ポリｐ−フェニレン、ポリフェニレンビニレン等があげられる。
【００５５】
一対の電極１４間の間隔は、電位差の安定性の点から２〜３ｍｍとするのが好ましい。
【００５６】
なお、電極１４を針金状に形成してもよい。電極１４はやや弾性を有しているのが好ましい。上記開口部１８はケース１２の全幅に亘って形成してもよい。
【００５７】
両電極１４の先端部には下方へ湾曲したフック部１５が形成されている。このフック部１５は肋間神経に係合できる形状とされている。フック部１５の形状は側面視で半円形とすることができる。
【００５８】
ケース１２の上面には前後方向へ長い長孔２０が形成され、各電極１４に接続された操作部２６この長孔２０を通して外部へ突出している。両電極レバー２２は電気絶縁性の連結部材にて相互に連結されている。
【００５９】
該操作部２６をケース１２の前後方向へ手などで移動操作すると、両電極１４はケース１２内を前後方向へスライド移動する。操作部２６として、固定手段としてのネジで構成しても良く、ネジ２６を手で回すことにより連結部材（および電極１４）をケース１２に固定したり、ネジ２６を緩めることにより連結部材および電極１４を長孔２０に沿ってケース１２の前後方向へ移動させることができる。
【００６０】
ケース１２の後部下面には組織へ刺通可能な固定爪２８が左右に一対設けられている。この固定爪２８を任意の位置の組織へ刺し通すことにより、ケース１２を組織の所望位置へ固定することができる。
【００６１】
図２に示すように、ケース１２内には、電極１４への電気接続手段３０が設けられている。この電気接続手段３０は、手術中に遮断する大動脈の上位と下位の肋間神経を露出して、それぞれの肋間神経に電極１４を装着し、上位の肋間神経を電気刺激し、また脊髄を伝導して下位の肋間神経に伝わる信号を受信するためのものである。
【００６２】
具体的には、電気接続手段３０は、ケース１２内に配置されたステレオジャック３２と、このステレオジャック３２から電極１４に接続された電極ケーブル３４とを有する。
【００６３】
ステレオジャック３２の陽極部が一方の陽極側の電極１４の後端部に電極ケーブル３４によって接続され、ステレオジャック３２の陰極部が他方の陰極側の電極１４の後端部に電極ケーブル３４によって接続されている。
【００６４】
なお、ケース１２内に固定手段としてスプリングなどの弾性体２７を配設して、各電極１４をケース１２内へ収容する方向へ付勢してもよい（図１０）。弾性体２７を配設する場合には、上記ネジ２６は不要であり得る。
【００６５】
弾性体２７をケース１２内に配設する場合には、連結部材２４を手で操作することにより電極１４をケース１２より突出させ、その電極１４のフック部１５に肋間神経Ｎを係合した後、連結部材２４から手を離すことで、弾性体２７の引張り力によって、両電極１４はケース１２側へ移動する。肋間神経Ｎは、フック部１５とケース１２の前端面１２ａとの間に挟持される。
【００６６】
弾性体２７としては、例えば、コイルスプリングなどを使用することができる。
【００６７】
図１１は他の実施形態を示した図である。
【００６８】
この実施形態では、保持部材として、筒状のケース１２で構成されている。
【００６９】
ケース１２の先端部には、電極１４を通す挿通孔１９が形成されている。
【００７０】
一対の電極１４は筒状の支持部５２内に挿通されている。電極１４の基部は支持部５２に固定されている。その支持部５２は、ケース１２内に、ケース１２の軸方向へ移動可能に挿入されている。
【００７１】
支持部５２とケース１２との間にコイルスプリング２７が配置され、電極１４の先端に形成されたフック部１５をケース１２側へ移動する方向へ付勢している。
【００７２】
支持部５２の外面には、支持部５２又はケース１２を軸方向へ手で容易に操作できるよう操作用突起５４が形成されている。図中６６は電気コードである。
【００７３】
操作用突起５４を操作してケース１２に対して支持部５２をその長手方向へ移動すると、電極１４のフック部１５がケース１２から突出し、あるいはケース１２側へ移動する。
【００７４】
従って、図１２に示すように、フック部１５を突出した状態でそのフック部１５の先端に肋間神経を係合させる。その係合状態で、再び操作用突起から手を離すと、支持部５２がケース１２から離れる方向へ移動するので、フック部１５がケース１２側へ移動する。その結果、フック部１５に係合された肋間神経Ｎはケース１２の先端面とフック部１５との間で挟持される。
【００７５】
また、図１３はさらに他の実施形態を示したものである。
【００７６】
この実施形態では、誘発電位電極装置２は、一対の電極１４と、該電極１４をそれぞれ包む保持部としてのチューブ５６と、を有する。
【００７７】
電極１４は支持部５２内に挿通され、その支持部５２の基部は連結部材５８にて連結されている。
【００７８】
該チューブ５６は支持部５２および電極１４を間隙を介して被覆し、チューブ５６は電極１４の軸方向に移動可能に構成されている。一対のチューブ５６、５６間は操作部材６０にて連結されている。
【００７９】
チューブ５６の基部と連結部材５８との間には圧縮スプリング６２が配設され、チューブ５６を連結部材５８に対して離間する方向へ付勢している。チューブ５６の先端部には外方へ延設されたフランジ５７が形成されている。
【００８０】
従って、操作部材６０を手で操作して、スプリング６２に抗してチューブ５６を連結部材５８方向へ移動すると、電極１４のフック部１５とチューブ５６先端のフランジ５７との間に空間が形成される。この空間内に肋間神経を位置させ、次に操作部材６０から手を離すと、チューブ５６がスプリング６２に押されて電極１４のフック部１５方向へ移動する。肋間神経はそのフック部１５とフランジ５７との間に挟持される。
（誘発電位診断サポートシステム）
本発明の術中誘発電位診断サポートシステム１００は、図６および図７に示すように、上位と下位の露出された肋間神経それぞれに装着される上記構成の誘発電位電極装置２を有し、手術中の脊髄虚血をモニタリングするものである。なお、図６はイヌにおける実際の電位測定を示したもので、図中４は大動脈、６は第１１肋間神経、８は第１２肋間神経、１０は脊髄をそれぞれ示している。
【００８１】
本発明の術中誘発電位診断サポートシステム１００は、上記誘発電位電極装置２以外に、脊髄１０に印加する電気刺激としての刺激パルスを生成するパルスジェネレーター４０と、刺激パルスの印加により脊髄１０で発生した脊髄誘発電位の信号波形を検出するデジタルオシロスコープ４２とを備える測定部４４と、該測定部４４で得られた脊髄誘発電位の測定結果を処理する処理部４６と、を主たる構成要素として備える。
【００８２】
パルスジェネレーター４０は、生成した刺激パルスの情報を処理部４６に出力可能に構成されている。デジタルオシロスコープ４２は、誘発電位電極装置２に配設された電気接続手段３０に信号取り出し側端部が接続され、配線を介して入力される脊髄誘発電位の信号波形を検出してその結果を処理部４６に出力可能に構成されている。
【００８３】
処理部４６は、例えば、パーソナルコンピュータ等により構成されている。この場合、処理部４６は、演算処理部(ＣＰＵ)４８と、半導体記憶部等からなる記憶部４９と、ＣＲＴ等から構成された表示器５０とを備えることができる。表示器５０は、演算処理部４８で取得される処理結果を可視化して表示する。また、脊髄誘発電位装置２はアンプ等が配置されてもよい。
【００８４】
脊髄誘発電位を測定するには、パルスジェネレーター４０で刺激パルスを生成し（例えば、１０ｍＡ以下、特に２ｍＡ〜３ｍＡの電流）、この刺激パルスを誘発電位電極装置２から上位肋間神経６に印加する。このとき、パルスジェネレーター４０から処理部４６に刺激パルスの情報が出力される。処理部４６に入力された刺激パルスの情報は、演算処理部４８で処理される。なお、ここでは、刺激パルスとして電流パルスを用いるが、パルスジェネレーター４０からの電圧を刺激として印加してもよい。
【００８５】
つまり、印加された刺激パルスによって肋間神経６の神経細胞が刺激され、それにより脊髄１０では脊髄誘発電位（誘発電位パルス）が生じる。この誘発電位パルスは、脊髄１０を構成する神経組織内に形成された神経伝達経路を通じて伝播される。そして、この誘発電位パルスは、下位肋間神経８に装着された誘発電位電極装置２を介して、測定部４０のデジタルオシロスコープ４２に電気信号として入力される。該デジタルオシロスコープ４２では、入力された電気信号から、以下のように誘発電位パルスの波形を取得する。
【００８６】
図８は、第１２肋間神経に装着された電極１４からの電気信号に基づいてデジタルオシロスコープ４２により取得される誘発電位パルスの波形を示す図である。
【００８７】
ここでは第１１肋間神経に装着された電極１４により印加された刺激パルスにより、第１２肋間神経に装着された電極１４を介して検出される誘発電位のパルスの波形Ｔ１２、第１腰神経に装着された電極を介して検出される誘発電位のパルスの波形Ｌ１、第２腰神経に装着された電極を介して検出される誘発電位のパルスの波形Ｌ２をそれぞれ示しており、脊髄１０の各領域付近が脊髄虚血を生じておらず正常であることがモニタリングできる。脊髄虚血を生じている場合には、上記パルス波形がフラットとなる。
【００８８】
図８は、筋弛緩薬を用いた場合と用いなかった場合のＴ１２とＬ２の間で記録された脊髄誘発電位（Ｔｉｃ−ＥＳＣＰ）を示しており、Ｔｉｃ−ＥＳＣＰの波形は、どちらの条件においても小さい正（Ｐ１）の波とその後に続く大きい負（Ｎ１）の波からなる。各波と潜伏期は図９に示されるように定義され、Ｔｉｃ−ＥＳＣＰの波形における上方への反屈は本発明において負として定義される。波形は遠位の肋間神経からよりも、近位の肋間神経からの方がより明瞭に記録された。筋弛緩薬を用いた場合、Ｎ１波が大きいので小さいＰ１波は不明瞭であった。Ｔｉｃ−ＥＳＣＰのベースラインは安定であり、波形は刺激によるアーチファクトがほとんどないので、Ｔｉｃ−ＥＳＣＰの振幅は、Ｎ１波の振幅として測定される。Ｔｉｃ−ＥＳＣＰの潜伏期はＰ１の潜伏期およびＮ１の潜伏期として測定される。
【００８９】
以上のことから以下のことがわかる。
【００９０】
肋間神経刺激による脊髄誘発電位（Ｔｉｃ−ＥＳＣＰ）モニタリングの利点として、第１にＴｉｃ−ＥＳＣＰの波形は単純でありかつ脊髄の短い分節にわたる活性化を反映するため、外部ノイズに影響されにくい。第２に電極の硬膜外への配置のような術前の準備を必要とせず、緊急の場合に利用可能なだけでなく、抗凝血治療または抗血小板治療を行っている患者においても利用可能である。第３に、筋弛緩薬を用いることができ、神経電位を筋肉の妨害なしに評価することができる。電極は小さいが、波形は単純で明瞭であり、したがって波形の解析が容易である。第４に神経への直接刺激のため、必要とされるのはより小さな刺激である。
【００９１】
図１４において、２は患者の露出した上位と下位の肋間神経それぞれに装着される誘発電位電極装置である。該装置２は、肋間神経に接触固定され、肋間神経刺激によって生成される脊髄誘発電位に基づく電気信号を取り込む電極１４を備える。
【００９２】
電極１４は接続ケーブル３４の一端に接続されている。この接続ケーブル３４の他端には差し込みプラグ３５が取付けてあり、オシロスコープ４２を備えたモニター本体７０に対して矢印で示す如く着脱自在に接続可能となっている。
【００９３】
すなわち、モニター本体７０のケース７０ａの上表面には、後述する操作スイッチ８０の押しボタン８０Ａおよび８０Ｂ，表示器５０の表示画面（領域５０ａ及び５０ｂ），警報ブザー８９ａ，警報ランプ８９ｂなどが装着されている。
【００９４】
図１５に示すように、モニター本体７０の内部には、刺激部８３、操作スイッチ８０の押しボタン操作に応じて作動する信号増幅器８１以下の電子部品等が収容されている。信号増幅器８１は、前記電極１４で取り込まれた前記電気信号を増幅する。この増幅された信号はＡ−Ｄ変換器８２によりデジタル信号に変換されて演算処理部４８に入力する。演算処理部４８は、入力した信号を演算処理して脊髄誘発電位の信号波形データを生成し、表示器５０に供給すると共に比較器８５へ出力する。
【００９５】
なお、演算処理部４８は、操作スイッチ８０からの指令を受けると、その指令に応じた内容を表示器５０に出力する。表示器５０は、通常の場合は、前記演算処理部４８からの脊髄誘発電位の信号波形データに基づく脊髄誘発電位の信号波形を表示画面の領域５０ａにオシログラフ的に表示する。
【００９６】
アンドゲート８６は、測定準備段階において、前記操作スイッチ８０から与えられるＯＮ指令信号によってＯＮとなり、前記演算処理部４８で得られた患者の術前又は術中の前段階における脊髄誘発電位の信号波形データを標準データとして記憶部４９に記憶させる。記憶部４９は上記標準データを記憶保存する。
【００９７】
比較器８５は、前記演算処理部４８から時々刻々供給される脊髄誘発電位の信号波形データを、前記記憶部４９に予め記憶保存されている標準データと比較し、その差を判定器８８へ出力する。判定器８８は上記両データの差が一定の許容範囲を超えているか否かにより異常の有無を判定する。そして異常であると判定した場合には、その異常情報を警報ブザー８９ａ及び警報ランプ８９ｂに出力すると共に、前記表示器５０に与える。
【００９８】
前記判定器８８から異常情報を受けると、警報ブザー８９ａは例えば警報音を連続的または断続的に発する。また警報ランプ８９ｂは例えば赤色ランプを点滅させて警報を発する。さらに表示器５０は、その異常の内容を表示画面における領域５０ｂにメッセージとして表示する。なお警報ブザー８９ａ、警報ランプ８９ｂ、表示器５０のメッセージ表示機能部は、音を用いた音響的アラーム報知手段と、光を用いた光学的アラーム報知手段と、文字情報ないし画像情報を用いた情報伝達式アラーム報知手段とを含むアラーム報知器を構成している。
【００９９】
次に、上記の如く構成された本実施形態の術中誘発電位診断サポートシステムを、胸腹部大動脈手術、胸部下行大動脈瘤手術および脊髄損傷手術において使用する場合の動作について説明する。
【０１００】
先ず、使用に先がけて患者の術前において測定した脊髄誘発電位の信号波形データを比較用の標準データとして記憶部４９に予め記憶保存する場合の動作について説明する。
【０１０１】
手術中の脊髄虚血をモニタリングするものである。
【０１０２】
患者が健康な状態にある術前あるいは術中の初期の段階に、遮断する大動脈の上位と下位にそれぞれ位置する、露出した肋間神経それぞれに、誘発電位電極装置２を、その電極１４が肋間神経に接触するよう装着する。
【０１０３】
この状態で操作スイッチ８０における準備モード用の押しボタン８０ＡをＯＮ操作する。アンドゲート８６がＯＮとなり準備モードとなる。この状態において、刺激部４０で刺激パルスを生成し、この刺激パルスを誘発電位電極装置２から上位肋間神経６に印加する。つまり、電極１４で取り込まれた脊髄誘発電位に基づく電気信号は、信号増幅器８１により増幅され、Ａ−Ｄ変換器８２でディジタル信号に変換されて演算処理部４８に入力する。この入力したディジタル信号は、演算処理部４８にて演算処理されて脊髄誘発電位の信号波形データとなる。この脊髄誘発電位の信号波形データは既にＯＮとなっているアンドゲート８６を通して記憶部４９に標準データとして供給され記憶保存される。
【０１０４】
次に術中の動作について説明する。
【０１０５】
上記標準データが記憶部４９に記憶保存されている状態において、操作スイッチ８０における測定モード用の押しボタン８０ＢをＯＮ操作する。そうすると、アンドゲート８６はＯＦＦとなり、測定モードとなる。この状態においては、刺激部４０で刺激パルスを生成すると、演算処理部４８で時々刻々と生成される脊髄誘発電位の信号波形データは、一方において表示器５０に供給され、表示画面の領域５０ａに脊髄誘発電位の信号波形として表示される。また上記脊髄誘発電位の信号波形データは、他方において比較器８５の一方の入力端に与えられる。比較器８５の他方の入力端には記憶部４９から標準データが与えられている。このため比較器８５において、演算処理部４８で時々刻々と生成される脊髄誘発電位の信号波形データが、記憶部４９に保存されている標準データと順次比較され、その差が検出される。この検出された差は判定器８８に送り込まれる。判定器８８においては、両データの差が許容範囲を超えているか否かに基づいて異常の有無が判定される。
【０１０６】
この判定器８８による判定の結果、異常であると判定された時には、判定器８８から異常信号が発せられ、これが警報ブザー８９ａ、警報ランプ８９ｂ，及び表示器５０に与えられる。このため警報ブザー８９ａから警報音が発せられると共に、赤色の警報ランプ８９ｂが点滅動作して患者に異常であることが知らされる。また表示器５０の表示画面の領域５０ｂにおいて、異常の内容がメッセージとして表示される。
【０１０７】
このようにして脊髄が虚血にさらされた場合、すなわち測定された脊髄誘発電位の信号波形データが比較用の標準データから大きく外れたような場合には、医者および看護師に対して自動的に警報が発せられる。このため、たとえ波形図に関して専門知識が乏しい者であってもその時点で脊髄虚血状態を的確に把握できる。
（他の実施形態の術中誘発電位診断サポートシステム）
次に、他の実施形態の術中誘発電位診断サポートシステムを図１６および図１７に基づいて説明する。
【０１０８】
図１６および１７中、８２はアナログ−デジタル変換器であり、該アナログ−デジタル変換器８２は、誘発電位電極装置２で検出された脊髄誘発電位レベルをデジタル信号に変換して出力する。８８は判定器で、例えばＲＡＭ、ＲＯＭを有するＣＰＵ等により構成され、誘発電位電極装置２で測定される脊髄誘発電位レベルから、術前のハイレベルの検出及び術中のローレベルの検出を行い、閾値として設定されたアラームレベルと逐次検出される脊髄誘発電位レベルとの比較を行って、その結果によりアラーム信号を出力すると共に、装置全体の制御を行う。
【０１０９】
脊髄虚血状態の判定を自動的に行うために、ＲＯＭに予め脊髄虚血状態判定プログラムを格納しておくことにより判定を行うことができる。或いは、次に説明する操作部８０の設定操作による手動判定も可能である。
【０１１０】
また、ＲＡＭには、検出した術前の脊髄誘発電位レベルのハイレベルデータ及び術中の脊髄誘発電位レベルのデータ、手動判定の場合のアラームレベルや所要とするデータ等を一時的に記憶する。アラーム信号は、検出された脊髄誘発電位レベルレベルがアラームレベルより低い場合、即ち脊髄虚血状態が生じた場合に、判定器８８から出力されるようになっている。
【０１１１】
８０は、例えばキーボード、或いは押しボタンを有する操作パネル等により構成される操作部で、自動判定或いは手動判定の選択、誘発電位電極装置２で測定される脊髄誘発電位レベル及びハイレベルの設定、アラームレベルの設定、アラームの解除及び所要とする各種データの設定等を行う。５０は表示部で、例えばＣＲＴ或いは液晶表示装置等で構成され、脊髄誘発電位レベルのトレンド、アラームレベル、所要のデータ等を表示する。
【０１１２】
８９ｂは警報装置で、例えば発光ダイオード（ＬＥＤ）等の発光素子及びその駆動部から構成され、判定器８８から出力されるアラーム信号により点灯或いは点滅による警報を発生する。なお、警報装置は光による警報を行うものに限らず、図に示す音による警報を行う警報装置８９ａでもよい。この警報装置８９ａは、例えばブザー又は小形スピーカ等の音響素子とその駆動部により構成し、ブザー音又は音声等による警報を発生するようにしてもよい。また、警報装置９０は、ＬＥＤと、ブザー又はスピーカのいずれかを組み合わせて、光及び音による警報を同時に発する様に構成することもできる。このようにすれば、アラームが確実に医師や看護師に伝達される。
【０１１３】
また、４９は記録装置であり、後刻の解析や分析のため、判定器８８から出力される脊髄誘発電位レベルのトレンド波形、アラームレベル等の経時的な変化の記録を行う。
【０１１４】
次に、上記構成について、図１７のフローチャートを参照して、脊髄虚血状態判定の処理を説明する。
【０１１５】
上位肋間神経に対して、誘発電位電極装置２をその電極１４が上位肋間神経に電気的に接続されるよう装着し、下位肋間神経に対して、誘発電位電極装置２をその電極１４が該下位肋間神経に電気的に接続されるよう装着し、誘発電位電極装置２、およびアナログ−デジタル変換器８２を介して脊髄誘発電位レベルを取り込む（ステップＳ１）。判定器８８に取り込まれた脊髄誘発電位レベルデータは、表示装置５０に送られて画面上に脊髄誘発電位レベルの波形が表示される（ステップＳ２）。図８および図９に示したように、例えば検出される脊髄誘発電位レベルの値は、マイナス側から急激にプラス側に変化し、脊髄虚血状態が大きく変化する。
【０１１６】
判定器８８は、取り込まれた脊髄誘発電位レベルから、術前の脊髄誘発電位レベルを検出して記憶し（ステップＳ３）、更に術中の脊髄誘発電位レベルを検出して記憶する（ステップＳ４）。
【０１１７】
次に、判定器８８は、記憶した脊髄誘発電位レベルに対して、所定の範囲を超える範囲にアラームレベルを設定し（ステップＳ５）、脊髄誘発電位レベルの測定を継続する（ステップＳ６）。このアラームレベルは、手術予定時間、患者の血圧値（手術前）、患者の状態等の設定パラメータに基づいて、自動設定される。
【０１１８】
判定器８８は、順次入力される脊髄誘発電位レベルを監視して、脊髄虚血状態がアラームレベルより低いか否かを検出し（ステップＳ８）、アラームレベルより低い場合、即ち脊髄虚血状態が生じた場合は、警報装置９０にアラーム信号を送り、警報装置９０から、例えば光の点滅による警報を発生する（ステップＳ９）。
【０１１９】
ステップＳ８において脊髄誘発電位レベルがアラームレベル以上であると判定された場合は、ステップＳ６に戻って脊髄誘発電位レベルの測定を行い、ステップＳ７の脊髄誘発電位レベルのトレンド波形の表示を継続する。
【０１２０】
ステップＳ９においてアラーム発生後、判定器８８は、再度脊髄誘発電位レベルがアラームレベルより低下したか否か判定し（ステップＳ１０）、アラームレベル以上である場合、操作部８０を操作してアラームを解除し（ステップＳ１１）、警報装置９０のアラームを停止させる。
【０１２１】
ステップＳ１０で脊髄誘発電位レベルが依然としてアラームレベルより低いと判定された場合、即ち脊髄虚血を生じた場合には、ステップＳ９に戻ってアラームを継続する。
【０１２２】
ステップＳ１１でアラームを終了させた後、再び脊髄誘発電位レベルの測定を開始し（ステップＳ１２）、表示装置５０の画面上に脊髄誘発電位レベルトレンドの表示を行い、或いは記録装置７で記録を行う（ステップＳ１３）。
【０１２３】
最後に、測定を継続するかを判定し（ステップＳ１４）、継続しない場合は、測定を終了し、継続する場合は、ステップＳ８に戻り、ステップＳ８以降の上記処理を繰り返して行う。
【０１２４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許出願は、その内容自体が具体的に本明細書に記載されているのと同様にその内容が本明細書に対する参考として援用されるべきであることが理解される。
【図面の簡単な説明】
【０１２５】
【図１】本発明の一実施例の誘発電位電極装置の斜視図である。
【図２】図１で示した誘発電位電極装置の平面図である。
【図３】図１で示した誘発電位電極装置の側断面図である。
【図４】図１で示した誘発電位電極装置の正面図である。
【図５】図１で示した誘発電位電極装置の背面図である。
【図６】本発明の一実施例の誘発電位電極装置の使用状態を説明する概略図である。
【図７】本発明の一実施例の術中誘発電位診断サポートシステムの説明図である。
【図８】本発明の一実施例の術中誘発電位診断サポートシステムを使用して得られた波形図である。
【図９】Ｔｉｃ−ＥＳＣＰの波形を定義する図である。
【図１０】本発明の他の実施例の誘発電位電極装置の概略図である。
【図１１】本発明のさらに他の実施例の誘発電位電極装置の斜視図である。
【図１２】図１１に示した誘発電位電極装置の作用説明図である。
【図１３】本発明のさらに他の実施例の誘発電位電極装置の概略断面図である。
【図１４】本発明の一実施例の術中誘発電位診断サポートシステムの概略斜視図である。
【図１５】本発明の一実施例の術中誘発電位診断サポートシステムの構成を示すブロック図である。
【図１６】本発明の他の実施例の術中誘発電位診断サポートシステムの構成を示すブロック図である。
【図１７】本発明の他の実施例の術中誘発電位診断サポートシステムのフローチャートである。
【符号の説明】
【０１２６】
２    誘発電位電極装置
１２  ケース
１４  電極
１５  フック部
１６  固定手段
１８  開口部
２７  スプリング
２８  固定爪
【図１】
0005278941.tif 000002
【図２】
0005278941.tif 000003
【図３】
0005278941.tif 000004
【図４】
0005278941.tif 000005
【図５】
0005278941.tif 000006
【図６】
0005278941.tif 000007
【図７】
0005278941.tif 000008
【図８】
0005278941.tif 000009
【図９】
0005278941.tif 000010
【図１０】
0005278941.tif 000011
【図１１】
0005278941.tif 000012
【図１２】
0005278941.tif 000013
【図１３】
0005278941.tif 000014
【図１４】
0005278941.tif 000015
【図１５】
0005278941.tif 000016
【図１６】
0005278941.tif 000017
【図１７】
0005278941.tif 000018